(57)【要約】【課題】ハウジングにシールド部材が設けられる構成において、接続対象物を案内し且つハウジングの大型化を抑制することができるコネクタを提供する。【解決手段】ソケットコネクタ１０は、ハウジング３０と、シールド部材８０とを有する。ハウジング３０は、プラグコネクタ１２が挿抜口３９を通してＺ方向に挿抜される被挿抜部３８と、被挿抜部３８の周辺部７１に形成されプラグコネクタ１２が被挿抜部３８に向けて案内される案内面７４とを有する。シールド部材８０は、Ｙ方向にハウジング３０を挟んで配置され電磁波の伝播を抑える一対のシールド部８２と、一対のシールド部８２をＹ方向に連結する連結部８６とを有する。連結部８６は、Ｚ方向におけるハウジング３０の挿抜口３９側とは反対側の部位と接触され、且つＺ方向に投影した場合に少なくとも一部が案内面７４と重なるように配置されている。【選択図】図１２
2019186168.tif 000002
【特許請求の範囲】
【請求項１】
接続対象物が挿抜口を通して挿抜方向に挿抜される被挿抜部と、前記被挿抜部の周辺部に形成され前記接続対象物が前記被挿抜部に向けて案内される案内面とを有するハウジングと、
前記挿抜方向と交差する交差方向に前記ハウジングを挟んで配置され電磁波の伝播を抑える一対のシールド部と、前記一対のシールド部を前記交差方向に連結する連結部とを有するシールド部材と、
を有するコネクタであって、
前記連結部は、前記挿抜方向における前記ハウジングの前記挿抜口側とは反対側の部位と接触され、且つ前記挿抜方向に投影した場合に少なくとも一部が前記案内面と重なるように配置されているコネクタ。
【請求項２】
前記シールド部材には、前記挿抜方向に投影した場合に少なくとも一部が前記連結部及び前記案内面と重なるように配置され、且つ電磁波の伝播を抑制する補助シールド部が設けられている請求項１に記載のコネクタ。
【請求項３】
前記ハウジングには、前記挿抜方向と交差する交差方向における前記補助シールド部の変位を規制する規制手段が設けられている請求項２に記載のコネクタ。
【請求項４】
前記規制手段は、前記補助シールド部と接触可能に前記ハウジングに形成された接触面を有する請求項３に記載のコネクタ。
【請求項５】
前記規制手段は、前記ハウジングに形成され、前記挿抜方向及び前記交差方向と直交する幅方向から見た場合に前記補助シールド部を覆う側壁部を有する請求項３又は請求項４に記載のコネクタ。
【請求項６】
前記接続対象物は、端子面が前記交差方向に露出された本体部と、該本体部の前記挿抜方向における前記端子面よりも前記被挿抜部側に形成され前記交差方向に突出された突出部と、を有し、
前記シールド部材には、前記補助シールド部よりも内側に弾性変形可能に配置され、前記突出部と接触された後で前記端子面と接触されることで、前記接続対象物に対して押付力を作用させる押付部が設けられている請求項２から請求項５のいずれか１項に記載のコネクタ。
【請求項７】
前記ハウジングには、被取付部が形成され、
前記シールド部材における前記押付部と前記補助シールド部との間には、前記挿抜方向に延在され前記被取付部に取付けられる取付部が設けられている請求項６に記載のコネクタ。
【発明の詳細な説明】
【技術分野】
【０００１】
本発明は、コネクタに関する。
【背景技術】
【０００２】
特許文献１の第１コネクタは、第２コネクタと嵌合される第１ハウジングと、第２コネクタの第２端子と導通する複数の第１端子と、一対の第１補強金具と、一対のシールド板部とを備える。一対の第１補強金具は、第１ハウジングの一対の端面を覆う外側接続部を備える。
【先行技術文献】
【特許文献】
【０００３】
【特許文献１】特開２０１６−９６１９号公報
【発明の概要】
【発明が解決しようとする課題】
【０００４】
特許文献１のコネクタでは、第１ハウジングの長手方向の端部が、外側接続部によって、第２コネクタに近い側から覆われる構成となっている。このため、第２コネクタを案内する案内面を第１ハウジングの長手方向の端部に形成する場合には、案内面が覆われないように、外側接続部を案内面よりも外側に配置することになる。しかし、外側接続部を案内面よりも外側に配置した場合には、外側接続部を支持するために、第１ハウジングを長手方向に延ばす必要があり、コネクタが大型化することになる。つまり、ハウジングにシールド部材が設けられるコネクタにおいて、接続対象物を案内し且つハウジングの大型化を抑制するには、改善の余地がある。
【０００５】
本発明は、ハウジングにシールド部材が設けられる構成において、接続対象物を案内し且つハウジングの大型化を抑制することができるコネクタを提供することを目的とする。
【課題を解決するための手段】
【０００６】
第１態様に係るコネクタは、接続対象物が挿抜口を通して挿抜方向に挿抜される被挿抜部と、前記被挿抜部の周辺部に形成され前記接続対象物が前記被挿抜部に向けて案内される案内面とを有するハウジングと、前記挿抜方向と交差する交差方向に前記ハウジングを挟んで配置され電磁波の伝播を抑える一対のシールド部と、前記一対のシールド部を前記交差方向に連結する連結部とを有するシールド部材と、を有するコネクタであって、前記連結部は、前記挿抜方向における前記ハウジングの前記挿抜口側とは反対側の部位と接触され、且つ前記挿抜方向に投影した場合に少なくとも一部が前記案内面と重なるように配置されている。
【０００７】
第１態様に係るコネクタでは、連結部が挿抜方向におけるハウジングの挿抜口側とは反対側の部位と接触されるので、ハウジングの挿抜口側に連結部が配置されない。このため、連結部の配置スペースを案内面に対して外側にずらして設定する必要がなくなる。さらに、連結部の少なくとも一部が、挿抜方向に投影した場合に案内面と重なるように配置されている。このため、案内面と連結部とが重ならないように配置された構成に比べて、ハウジングの長さが長くなることが抑制される。このように、第１態様に係るコネクタでは、接続対象物を案内し且つハウジングの大型化を抑制することができる。
【０００８】
第２態様に係るコネクタの前記シールド部材には、前記挿抜方向に投影した場合に少なくとも一部が前記連結部及び前記案内面と重なるように配置され、且つ電磁波の伝播を抑制する補助シールド部が設けられている。
【０００９】
第２態様に係るコネクタでは、一対のシールド部に補助シールド部が加わるので、コネクタにおける電磁波の伝播を抑える範囲を拡大させることができる。さらに、補助シールド部の少なくとも一部が、挿抜方向に投影した場合に連結部及び案内面と重なるように配置されている。このため、補助シールド部と連結部及び案内面とが重ならないように配置された構成に比べて、ハウジングの長さが長くなることが抑制されるので、コネクタの大型化を抑制することができる。
【００１０】
第３態様に係るコネクタの前記ハウジングには、前記挿抜方向と交差する交差方向における前記補助シールド部の変位を規制する規制手段が設けられている。
【００１１】
第３態様に係るコネクタでは、シールド部材に外力が作用することで補助シールド部が変位される場合に、規制手段が補助シールド部の変位を規制するので、規制手段が無い構成に比べて、補助シールド部がハウジングから離れるのを抑制することができる。
【００１２】
第４態様に係るコネクタの前記規制手段は、前記補助シールド部と接触可能に前記ハウジングに形成された接触面を有する。
【００１３】
第４態様に係るコネクタでは、ハウジングに接触面を形成するだけでよいので、規制手段がハウジングとは異なる他の部材としてハウジングに設けられる構成に比べて、部材点数の増加を抑制することができる。
【００１４】
第５態様に係るコネクタの前記規制手段は、前記ハウジングに形成され、前記挿抜方向及び前記交差方向と直交する幅方向から見た場合に前記補助シールド部を覆う側壁部を有する。
【００１５】
第５態様に係るコネクタでは、幅方向における補助シールド部の変位を規制することができる。さらに、補助シールド部がハウジングの外側へ露出されなくなることで、他の部材又は作業者の手と、補助シールド部との接触が規制されるので、補助シールド部の変形を抑制することができる。
【００１６】
第６態様に係るコネクタの前記接続対象物は、端子面が前記交差方向に露出された本体部と、該本体部の前記挿抜方向における前記端子面よりも前記被挿抜部側に形成され前記交差方向に突出された突出部と、を有し、前記シールド部材には、前記補助シールド部よりも内側に弾性変形可能に配置され、前記突出部と接触された後で前記端子面と接触されることで、前記接続対象物に対して押付力を作用させる押付部が設けられている。
【００１７】
第６態様に係るコネクタでは、接続対象物が接続された場合に、突出部が押付部と接触されることで押付部を乗り越えた後で、押付部と端子面とが接触される。ここで、接続対象物に対して引抜き方向の外力が作用された場合に、押付部と突出部とが接触することで、接続対象物の移動が一時的に規制されるので、コネクタに接続された接続対象物の不所望の抜けを抑制することができる。
【００１８】
第７態様に係るコネクタの前記ハウジングには、被取付部が形成され、前記シールド部材における前記押付部と前記補助シールド部との間には、前記挿抜方向に延在され前記被取付部に取付けられる取付部が設けられている。
【００１９】
第７態様に係るコネクタでは、押付部から補助シールド部に向かう力に対するシールド部材の剛性が、押付部と補助シールド部との間に設けられた取付部によって高められている。これにより、接続対象物がコネクタに接続された場合に、取付部が押付部と補助シールド部との間に無い構成に比べて、押付部の変位に伴う補助シールド部の変位を抑制することができる。
【発明の効果】
【００２０】
本発明によれば、ハウジングにシールド部材が設けられる構成において、接続対象物を案内し且つハウジングの大型化を抑制することができる。
【図面の簡単な説明】
【００２１】
【図１】本実施形態に係るソケットコネクタの斜視図である。
【図２】本実施形態に係るプラグコネクタの斜視図である。
【図３】本実施形態に係るハウジングの斜視図である。
【図４】本実施形態に係るハウジングの平面図である。
【図５】本実施形態に係るハウジングの底面図である。
【図６】本実施形態に係るシールド部材の斜視図である。
【図７】本実施形態に係るシールド部材の展開図である。
【図８】本実施形態に係るシールド部材の平面図である。
【図９】本実施形態に係るシールド部材の補助シールド部側の側面図である。
【図１０】本実施形態に係るシールド部材のシールド部側の側面図である。
【図１１】本実施形態に係る補助シールド部と対向面との配置を示す説明図である。
【図１２】本実施形態に係るシールド部材を挿抜方向に投影してハウジングと重ねた状態を示す説明図である。
【図１３】本実施形態に係る押付部がプラグコネクタの端子面と接触する状態を示す縦断面図である。
【図１４】本実施形態に係る押付部に力が作用した状態を示す説明図である。
【発明を実施するための形態】
【００２２】
本実施形態に係るソケットコネクタ１０及びプラグコネクタ１２について説明する。
【００２３】
〔全体構成〕
図１に示すソケットコネクタ１０は、コネクタの一例である。ソケットコネクタ１０には、後述するプラグコネクタ１２（図２参照）が挿抜される。以後の説明では、ソケットコネクタ１０におけるプラグコネクタ１２が挿抜される挿抜方向をＺ方向と称する。Ｚ方向と直交する面内（図示省略）において、ソケットコネクタ１０の長手方向をＸ方向と称し、短手方向をＹ方向と称する。Ｘ方向、Ｙ方向及びＺ方向は、互いに直交する。Ｘ方向は、幅方向の一例である。Ｙ方向は、交差方向の一例である。
【００２４】
ソケットコネクタ１０におけるＺ方向の中央に対する一方側と他方側とを区別する場合には、プラグコネクタ１２（図２参照）に近い側をＺ側と称し、プラグコネクタ１２から遠い側を−Ｚ側と称する。ソケットコネクタ１０におけるＸ方向の中央に対する一方側と他方側とを区別する場合には、後述する基準面３４Ａを正面視した状態で、右側をＸ側と称し、左側を−Ｘ側と称する。ソケットコネクタ１０におけるＹ方向の中央に対する一方側と他方側とを区別する場合には、基準面３４Ａを正面視した状態で、奥側をＹ側と称し、手前側を−Ｙ側と称する。なお、各図においては、図面を見易くするために、一部の符号を省略している場合がある。
【００２５】
ソケットコネクタ１０は、基板の一例としての第１基板１４に実装されている。第１基板１４には、Ｚ方向に貫通された図示しない貫通孔が形成されている。プラグコネクタ１２は、第２基板１６（図２参照）に実装されている。ここで、ソケットコネクタ１０とプラグコネクタ１２とが接続（嵌合）されることで、第１基板１４の図示しない回路と、第２基板１６の図示しない回路とが導通される。
【００２６】
＜プラグコネクタ＞
図２に示すプラグコネクタ１２は、接続対象物の一例である。また、プラグコネクタ１２は、本体部の一例としてのプラグハウジング１８と、プラグハウジング１８に形成された突出部２４と、電源端子を含む複数の端子部２５と、アース端子２８とを含んで構成されている。プラグハウジング１８は、絶縁性を有する樹脂で構成されており、第２基板１６に沿って配置された底板部１９と、底板部１９からＺ方向に直立する直立部２１とを有する。
【００２７】
直立部２１は、Ｙ方向を短手方向とし、Ｘ方向を長手方向とする略直方体状に形成されている。直立部２１には、Ｘ方向に並び且つ複数の端子部２５が取付けられる複数の窪み部２３が形成されている。複数の端子部２５には、電源端子が含まれていてもよい。直立部２１における複数の窪み部２３に対するＸ側及び−Ｘ側には、アース端子２８が設けられている。
【００２８】
図１３に示すように、突出部２４は、プラグハウジング１８の直立部２１に形成されている。具体的には、突出部２４は、ソケットコネクタ１０とプラグコネクタ１２との接続状態において、Ｘ方向から見た場合に、直立部２１の−Ｚ側端部におけるＹ側及び−Ｙ側の側面２１ＡからＹ方向の外側に向けて、略台形状に突出された部位である。直立部２１における突出部２４に対するＺ側には、アース端子２８が配置されている。さらに、直立部２１におけるアース端子２８に対するＺ側には、側面２１ＡからＹ方向の外側に向けて突出された補助突出部２９が形成されている。
【００２９】
アース端子２８は、端子面２８Ａを有する板状に形成されている。端子面２８Ａは、Ｘ−Ｚ面に沿った平面であり、直立部２１に対してＹ方向に露出されている。また、アース端子２８は、Ｚ方向における突出部２４と補助突出部２９との間に配置されている。換言すると、突出部２４は、プラグハウジング１８のＺ方向における端子面２８Ａよりも先端側（後述する被挿抜部３８（図１参照）側）に形成され、Ｙ方向に突出されている。
【００３０】
〔要部構成〕
次に、ソケットコネクタ１０の詳細について説明する。
【００３１】
図１に示すソケットコネクタ１０は、第１基板１４に固定された１つのハウジング３０と、ハウジング３０に取付けられた複数の端子部材７６及び１つのシールド部材８０とを有する。なお、ソケットコネクタ１０は、Ｙ方向の中央に対してＹ側と−Ｙ側とで同様（対称）の構成とされている。また、ソケットコネクタ１０は、Ｘ方向の中央に対してＸ側と−Ｘ側とで同様（対称）の構成とされている。このため、以後の説明では、ソケットコネクタ１０の−Ｙ側及びＸ側の構成について説明し、Ｙ側及び−Ｘ側の構成の説明を省略する場合がある。
【００３２】
＜ハウジング＞
図３に示すハウジング３０は、絶縁性を有する樹脂で構成されている。また、ハウジング３０は、一例として、Ｘ−Ｙ面に沿って広がる底壁３２（図５参照）と、底壁３２からＺ方向のＺ側に直立されＹ方向に対向する１組の側壁３４と、底壁３２からＺ方向のＺ側に直立されＸ方向に対向する１組の側壁３６とを有する。つまり、ハウジング３０は、Ｚ側に開口された直方体状に形成されている。また、ハウジング３０は、Ｚ方向から見た場合に、Ｘ方向を長手方向としＹ方向を短手方向とする略矩形状の外形を有している。さらに、ハウジング３０には、後述する補助シールド部９８（図１１参照）の変位を規制する規制手段の一例としての規制部５０が設けられている。
【００３３】
図５に示す底壁３２の−Ｚ側の面を下面３３と称する。下面３３は、Ｘ−Ｙ面に沿って配置されている。下面３３には、外縁部を除いて、下面３３から−Ｚ側に向けて隆起された隆起部３５が形成されている。隆起部３５は、一例として、Ｘ方向に沿って延在された延在部３５Ａと、延在部３５ＡのＸ方向両端部でＹ側及び−Ｙ側に張出された張出部３５Ｂとを含んで構成されている。
【００３４】
図３に示す１組の側壁３４の内側面及び１組の側壁３６の内側面で構成される部位を、被挿抜部３８と称する。被挿抜部３８のＸ方向及びＹ方向の内側は中空とされている。また、被挿抜部３８のうちＺ側端部の開口を挿抜口３９と称する。被挿抜部３８では、プラグコネクタ１２（図２参照）が挿抜口３９を通してＺ方向に挿抜（挿入及び抜取）される。
【００３５】
側壁３４は、Ｙ方向を厚さ方向としてＸ方向に延在されている。また、側壁３４は、Ｙ方向から見た場合に、Ｘ方向を長手方向としＺ方向を短手方向とする矩形状に形成されている。なお、−Ｙ側の側壁３４において、−Ｙ側の側面を基準面３４Ａと称する。また、側壁３４のＺ側の面を上面３４Ｂと称する。側壁３４の被挿抜部３８には、複数の仕切壁４２によってＸ方向に区画された複数の小室４３が形成されている。小室４３を構成する壁の一部には、後述する端子部材７６（図１参照）が取付けられる。これにより、被挿抜部３８に向けて端子部材７６の一部が露出される。
【００３６】
図４に示す側壁３４において、複数の小室４３に対するＸ側及び−Ｘ側には、側壁３４をＺ方向に貫通する貫通部４４が形成されている。貫通部４４は、Ｚ方向から見た場合にＹ方向に長い矩形状に形成されている。また、貫通部４４の端部は、底壁３２をＺ方向に貫通している。
【００３７】
側壁３４のＺ側端部において、貫通部４４に対するＹ方向の外側には、側壁３４から外側（Ｙ側又は−Ｙ側）へ向けて張出された張出部４６が形成されている。張出部４６は、被取付部の一例である。また、張出部４６は、Ｚ方向から見た場合に台形状で且つＺ方向を厚さ方向とするブロック状に形成されている。側壁３４における張出部４６の基端部には、側壁３４及び張出部４６をＺ方向に貫通する取付孔４８が形成されている。取付孔４８は、Ｚ方向から見た場合に、Ｘ方向に長い矩形状に形成されている。
【００３８】
図３に示す側壁３６は、貫通部４４よりもＸ方向の外側（Ｘ側又は−Ｘ側）に配置されている。また、側壁３６は、Ｘ方向を厚さ方向としてＹ方向に延在されている。さらに、側壁３６は、Ｘ方向から見た場合に、Ｙ方向を長手方向としＺ方向を短手方向とする矩形状に形成されている。側壁３６のＺ側の面を上面３６Ａと称する。
【００３９】
図５に示すように、側壁３６は、Ｘ方向に対向する縦壁３７及び縦壁５２を有する。なお、縦壁５２の詳細については後述する。縦壁３７は、縦壁５２よりも被挿抜部３８に近い側に配置されている。また、縦壁３７のＺ側端部と、縦壁５２のＺ側端部とは、上壁部４１によって繋がっている。さらに、縦壁３７には、被挿抜部３８側に向けて窪んだ窪み部６２（図１１参照）が形成されている。ここで、縦壁３７と縦壁５２との間の空間部６３と、窪み部６２とをまとめて、収容部６１と称する。収容部６１は、Ｙ側、−Ｙ側及び−Ｚ側に開口されている。
【００４０】
図１１に示すように、窪み部６２には、側壁３６のＹ方向中央部でＺ側端部から−Ｚ側へ向けて延びる区画壁６４が形成されている。そして、窪み部６２は、区画壁６４によって、Ｙ側の第１窪み部６５と、−Ｙ側の第２窪み部６６とに区画されている。区画壁６４は、Ｘ−Ｚ面に沿った１組の側面６４Ａを有する。第１窪み部６５と第２窪み部６６とは、区画壁６４に対して対称に構成されており、配置以外は同様の構成とされている。このため、第１窪み部６５について説明し、第２窪み部６６の説明を省略する。
【００４１】
第１窪み部６５には、Ｘ方向から見た場合に、側面６４ＡとＹ方向に間隔をあけて対向する対向面５４と、対向面５４のＺ側端と側面６４ＡのＺ側端とを繋ぐ上部下面６９とが形成されている。
【００４２】
（規制部）
規制部５０は、一例として、縦壁５２（図５参照）と、対向面５４とを有する。なお、「ハウジング３０に規制部５０が設けられること」とは、ハウジング３０に規制部５０が形成されることと、ハウジング３０に他の部材が規制部５０として設けられることとを含んでいる。
【００４３】
図５に示す縦壁５２は、側壁部の一例であり、ハウジング３０に形成されている。また、縦壁５２は、ハウジング３０におけるＸ方向の両側端に配置されている。さらに、縦壁５２は、Ｙ−Ｚ面に沿って広がっている。縦壁５２のうち、Ｚ方向におけるハウジング３０の挿抜口３９（図３参照）側とは反対側（−Ｚ側）の部位を下端部５２Ａと称する。図１に示すように、縦壁５２は、Ｘ方向から見た場合に、後述する補助シールド部９８を覆っている。
【００４４】
図１１に示す対向面５４は、接触面の一例である。また、対向面５４は、側面６４ＡのＺ側端部とＹ方向に対向配置されており、後述する補助シールド部９８と接触可能にハウジング３０に形成されている。換言すると、対向面５４は、Ｚ方向と交差（直交）するＹ方向において、補助シールド部９８のＹ方向の変位を規制する構成とされている。また、対向面５４は、Ｙ方向から見た場合に、Ｘ方向を短手方向とし、Ｚ方向を長手方向とする矩形状に形成されている。対向面５４のＺ方向の長さは、一例として、区画壁６４のＺ方向の長さの１／３程度とされている。
【００４５】
（案内部）
図３に示すハウジング３０の挿抜口３９側（Ｚ側）で且つ被挿抜部３８の周辺部７１には、案内部７２が形成されている。なお、周辺部７１は、挿抜口３９の周縁だけでなく、上面３４Ｂ及び上面３６Ａも含んでいる。
【００４６】
案内部７２は、上面３４Ｂと上面３６Ａとに跨って形成された部位である。また、案内部７２は、ハウジング３０のＸ方向中央に対してＸ側と−Ｘ側とに対称配置されている。さらに、案内部７２は、上面３４Ｂ及び上面３６ＡからＺ側に向けて隆起された隆起部７３と、隆起部７３よりも内側の上面３４Ｂ及び上面３６Ａを含む底面部７５とで構成されている。さらに、案内部７２は、Ｚ方向のＺ側から見た場合に略Ｕ字状に形成されている。
【００４７】
ハウジング３０は、案内面７４を有する。案内面７４は、一例として、隆起部７３に形成された傾斜面７３Ａと、上面３４Ｂ及び上面３６Ａと、挿抜口３９を構成する内壁面に形成された傾斜面４５とで構成されている。傾斜面７３Ａは、隆起部７３のＺ側端面から上面３４Ｂ及び上面３６Ａに向けて、Ｚ方向に対して斜め方向に延びている。傾斜面４５は、上面３４Ｂ及び上面３６Ａの内側端から内側（被挿抜部３８側）に向けて、外側よりも内側が下がるように、Ｚ方向に対して斜め方向に延びている。また、案内面７４は、プラグコネクタ１２（図２参照）がソケットコネクタ１０に接続される場合に、プラグコネクタ１２が接触されることで、プラグコネクタ１２が被挿抜部３８に向けて案内される面である。
【００４８】
図４に示すように、案内面７４は、Ｚ方向から見た場合に、Ｘ方向に直線状に延びる２つの部位と、Ｙ方向に直線状に延びる部位とで、全体が略Ｕ字状に形成されている。
【００４９】
＜端子部材＞
図１に示す複数の端子部材７６は、弾性変形されながら複数の端子部２５（図２参照）と接続される。また、複数の端子部材７６は、複数の小室４３内に１つずつ設けられて（取付けられて）いる。
【００５０】
＜シールド部材＞
図６に示すシールド部材８０は、一例として、一対のシールド部８２と、４つの中間部８４と、一対の連結部８６と、４つの脚部８８と、４つの押付部９２と、４つの取付部９６と、４つの補助シールド部９８とを有する。また、シールド部材８０は、一例として、リン青銅製とされている。なお、シールド部材８０は、電磁波の伝播を抑える機能を有するものであれば、リン青銅製に限らず、他の材料で構成されていてもよい。
【００５１】
図７には、シールド部材８０が折曲げ加工される前の展開状態が示されている。展開状態のシールド部材８０は、板金が図示しないプレス装置によって打抜き加工されることで形成されている。換言すると、シールド部８２、中間部８４、連結部８６、脚部８８、押付部９２、取付部９６及び補助シールド部９８は、一例として、一体化されている。一対の連結部８６のうち一方には、プレス直後に搬送用のキャリア部８１が繋がっているが、図示しない切断装置によりキャリア部８１が切断されることで、シールド部材８０がキャリア部８１から分離されている。キャリア部８１から分離されたシールド部材８０は、予め設定された折曲部位が図示しない加工装置で折り曲げられることで完成される。
【００５２】
（シールド部）
図６に示す一対のシールド部８２は、Ｙ方向にハウジング３０（図３参照）を挟んで配置され、電磁波（ソケットコネクタ１０の内外のノイズ）の伝播を抑える機能を有する。具体的には、シールド部８２は、Ｙ方向から見た場合に、Ｘ方向を長手方向とし、Ｚ方向を短手方向とする略矩形状に形成されている。シールド部８２の大きさは、一例として、Ｙ方向から見た場合に、基準面３４Ａ（図３参照）の２／３程度の範囲を覆う大きさとされている。
【００５３】
（中間部）
４つの中間部８４は、それぞれ、Ｙ方向から見た場合に四角形状に形成されている。また、４つの中間部８４は、Ｙ側に２つ１組で配置され、−Ｙ側に２つ１組で配置されている。具体的には、中間部８４は、シールド部８２に対するＸ側及び−Ｘ側に１つずつ配置され、シールド部８２とＸ方向に繋げられている。また、中間部８４は、Ｙ方向から見た場合に、基準面３４Ａ（図３参照）の一部を覆っている。
【００５４】
（連結部）
図７に示す連結部８６は、一例として、Ｚ方向から見た場合にＸ方向内側に開口する略Ｕ字状に形成されている。具体的には、連結部８６は、中間部８４とＹ方向に繋がる２つの板部８６Ａと、２つの板部８６ＡからＸ方向の外側へ延びる２つの板部８６Ｂと、２つの板部８６ＢをＹ方向に繋ぐ１つの板部８６Ｃとを有する。つまり、連結部８６は、中間部８４を介して、一対のシールド部８２をＹ方向に連結している。板部８６ＢのＸ方向の長さは、張出部３５Ｂ（図５参照）のＸ方向の長さよりも長い。板部８６ＣのＹ方向の長さは、張出部３５ＢのＹ方向の長さよりも長い。
【００５５】
また、連結部８６の大きさは、ハウジング３０（図３参照）にシールド部材８０が組付けられた状態で、連結部８６が下端部５２Ａ（図５参照）と接触される大きさに設定されている。また、連結部８６は、ハウジング３０にシールド部材８０が組付けられた状態でＺ方向に投影した場合に、少なくとも一部が案内面７４（図３参照）と重なるように配置されている。なお、連結部８６の配置の詳細については、後述する。
【００５６】
（脚部）
図８に示す脚部８８は、一例として、Ｚ方向から見た場合に、板部８６ＣのＹ方向両端部から、Ｙ方向に沿ってＹ側及び−Ｙ側に延在されている。図９に示すように、脚部８８は、Ｘ方向から見た場合に、板部８６Ｃよりも−Ｚ側に位置するようにクランク状に屈曲されている。脚部８８は、第１基板１４（図１参照）の図示しないアースラインに半田付けされる。
【００５７】
（押付部）
図６に示すように、押付部９２は、後述する補助シールド部９８よりもＸ方向の内側（中央側）において、少なくともＹ方向に弾性変形可能に配置されている。また、４つの押付部９２は、シールド部材８０におけるＸ側に２つ、−Ｘ側に２つ配置されている。Ｘ側と−Ｘ側の押付部９２は、Ｘ方向の中央でＺ方向に延びる図示しない対称軸に対して、線対称に配置されている。このため、Ｘ側の２つの押付部９２について説明し、−Ｘ側の２つの押付部９２の説明を省略する。２つの押付部９２は、シールド部材８０のＹ方向の中央でＺ方向に延びる図示しない対称軸に対して、線対称に配置されている。つまり、２つの接触部９５は、Ｙ方向に間隔をあけて対向配置されている。
【００５８】
図７に示す押付部９２は、曲げ加工前の状態において、中間部８４における連結部８６側とは反対側の端部で且つシールド部８２に近い側の端部から、Ｙ方向に沿って直線状に延ばされた板状部で構成されている。そして、押付部９２は、図示しない加工装置を用いて曲げ加工される。
【００５９】
図９に示すように、押付部９２は、一例として、支持部９３と、弾性部９４と、接触部９５とを有する構成とされている。支持部９３は、Ｘ方向から見た場合に、連結部８６とほぼ平行にＹ方向の内側へ向けて延びている。弾性部９４は、Ｘ方向から見た場合に、−Ｚ側に開口する逆Ｕ字状に形成されている。弾性部９４の一端部は、支持部９３と繋がっている。弾性部９４の他端部は、接触部９５と繋がっている。接触部９５は、Ｘ方向から見た場合に、支持部９３側とは反対側に向けて突出するように山型に屈曲されている。
【００６０】
図１３に示すように、ソケットコネクタ１０に対してプラグコネクタ１２を接続させる場合に、押付部９２は、突出部２４と接触された後で端子面２８Ａと接触されることで、プラグコネクタ１２に対してＹ方向の押付力を作用させるように構成されている。
【００６１】
（取付部）
図７に示す取付部９６は、曲げ加工前の状態において、中間部８４における連結部８６側とは反対側の端部で、且つ押付部９２に対してシールド部８２側とは反対側の端部から、Ｙ方向に沿って直線状に延ばされた板状部で構成されている。取付部９６の先端側（中間部８４から遠い側）には、一例として、押付部９２に向けて拡幅された拡幅部９６Ａが形成されている。拡幅部９６ＡのＸ方向の大きさは、取付孔４８（図３参照）に圧入可能な大きさとされている。
【００６２】
（補助シールド部）
４つの補助シールド部９８は、シールド部材８０におけるＸ側に２つ、−Ｘ側に２つ配置されている。曲げ加工前の状態において、Ｘ側と−Ｘ側の補助シールド部９８は、Ｘ方向の中央でＹ方向に延びる図示しない対称軸に対して、線対称に配置されている。また、Ｙ側と−Ｙ側の補助シールド部９８は、Ｙ方向の中央でＸ方向に延びる図示しない対称軸に対して、線対称に配置されている。
【００６３】
補助シールド部９８は、曲げ加工前の状態において、取付部９６の中間部８４側の端部から押付部９２側とは反対側に向けてＸ方向に延びる腕部９８Ａと、腕部９８ＡのＸ方向の端部と繋がる平板部９８Ｂとを有する。腕部９８Ａは、脚部８８とＹ方向に並んでいる。平板部９８Ｂは、一例として、略正方形状に形成されている。平板部９８Ｂの板厚は、空間部６３（図５参照）に挿入可能な厚さとされている。補助シールド部９８は、シールド部材８０に一体で設けられて（形成されて）おり、電磁波の伝播を抑制する機能を有している。
【００６４】
＜ソケットコネクタの組立＞
図７に示す展開状態から、中間部８４と連結部８６との間の部位を屈曲させることで、シールド部８２、押付部９２、取付部９６及び補助シールド部９８がＺ方向に直立される。また、押付部９２が、曲げ加工される。さらに、補助シールド部９８が、連結部８６とＺ方向に重なるように屈曲される。加えて、脚部８８がクランク状に屈曲される。このようにして、図６に示すシールド部材８０が形成される。
【００６５】
図８に示すように、シールド部材８０をＺ方向から見た場合に、シールド部材８０における押付部９２と補助シールド部９８との間には、取付部９６が設けられている。取付部９６は、Ｚ方向に延在されており、取付孔４８（図３参照）に圧入されることで、張出部４６（図３参照）に取付けられる。補助シールド部９８は、板部８６ＣのＸ方向内側端部とＺ方向に重なるように配置されている。また、補助シールド部９８は、Ｙ−Ｚ面に沿って配置されている。押付部９２は、補助シールド部９８に対するＸ方向の内側でＹ方向に沿って配置されている。
【００６６】
図９に示すように、シールド部材８０をＸ方向から見た場合に、２つの補助シールド部９８は、Ｙ方向に間隔をあけて並んでいる。２つの補助シールド部９８のＹ方向の間隔は、区画壁６４（図１１参照）のＹ方向の幅よりも広い。また、２つの補助シールド部９８は、一例として、Ｘ方向の外側から見た場合に、支持部９３及び接触部９５を覆っている。弾性部９４は、補助シールド部９８に対してＺ側に露出されている。２つの接触部９５は、Ｙ方向に対向配置されている。
【００６７】
図１０に示すように、シールド部材８０をＹ方向から見た場合に、シールド部８２、押付部９２、取付部９６、補助シールド部９８は、この順番でＸ方向中央から外側へ向けて配置されている。Ｚ方向において、取付部９６の端部の高さは、一例として、押付部９２の端部の高さよりも高い。なお、平板部９８ＢをＸ方向から見た場合の外周面のうち、Ｙ方向の外側で且つ腕部９８ＡよりもＺ側に位置する面を側面９９と称する。
【００６８】
図１１に示すハウジング３０には、複数の端子部材７６が取付けられている。また、ハウジング３０には、−Ｚ側からシールド部材８０が取付けられている。具体的には、貫通部４４に押付部９２が挿入され、空間部６３に補助シールド部９８が挿入される。そして、取付部９６の拡幅部９６Ａ（図７参照）が取付孔４８に圧入されることで、ハウジング３０にシールド部材８０が取付けられ、ソケットコネクタ１０が出来上がる。
【００６９】
ソケットコネクタ１０では、区画壁６４に対するＹ側及び−Ｙ側に補助シールド部９８が配置される。これにより、側面９９と対向面５４とがＹ方向に対向されている。接触部９５（図９参照）は、被挿抜部３８の内側に露出されている。シールド部８２及び補助シールド部９８は、複数の端子部材７６をＸ方向及びＹ方向に囲んでいる。複数の端子部材７６の−Ｚ側端部及び複数の脚部８８は、第１基板１４（図１参照）の図示しない回路に半田付けされる。連結部８６は、下端部５２Ａ（図５参照）と接触されている。
【００７０】
図１２には、ハウジング３０に対してシールド部材８０をＺ方向に投影した状態が示されている。なお、図１２では、シールド部材８０の外形が実線で示されており、ハウジング３０の外形が二点鎖線で示されている。一点鎖線Ｃは、ソケットコネクタ１０のＹ方向中央位置を表している。
【００７１】
ソケットコネクタ１０では、連結部８６をＺ方向に投影した場合に、連結部８６の一部が案内面７４と重なっている。具体的には、板部８６Ａ及び板部８６Ｂが、案内面７４のＸ方向に延びる部分と重なっている。また、板部８６Ｃが、案内面７４のＹ方向に延びる部分と重なっている。なお、板部８６Ｃは、補助シールド部９８ともＺ方向に重なっている。
【００７２】
〔作用並びに効果〕
次に、本実施形態のソケットコネクタ１０の作用並びに効果について説明する。
【００７３】
図１に示すソケットコネクタ１０において、プラグコネクタ１２（図２参照）が被挿抜部３８に挿入される。プラグコネクタ１２が挿抜口３９に対してＸ側又はＹ側にずれて挿入されようとした場合には、プラグコネクタ１２の直立部２１（図２参照）が案内面７４と接触されることで、プラグコネクタ１２が挿抜口３９に向けて案内される。そして、ソケットコネクタ１０とプラグコネクタ１２とが接続される。
【００７４】
ソケットコネクタ１０では、連結部８６が下端部５２Ａと接触されるので、ハウジング３０の挿抜口３９側に連結部８６が配置されない。このため、連結部８６の配置スペースを案内面７４に対してＸ方向外側にずらして設定する必要がなくなる。
【００７５】
さらに、図１２に示すように、ソケットコネクタ１０では、連結部８６の少なくとも一部が、Ｚ方向に投影した場合に案内面７４と重なるように配置されている。このため、案内面７４と連結部８６とが重ならないように配置された構成に比べて、ハウジングのＸ方向の長さが長くなることが抑制される。以上、説明したように、ソケットコネクタ１０では、プラグコネクタ１２を案内し且つハウジング３０のＸ方向の大型化を抑制することができる。
【００７６】
また、図１１に示すソケットコネクタ１０では、一対のシールド部８２に補助シールド部９８が加わるので、ソケットコネクタ１０における電磁波の伝播を抑える範囲を拡大させることができる。さらに、補助シールド部９８の少なくとも一部が、Ｚ方向に投影した場合に連結部８６及び案内面７４と重なるように配置されている。このため、補助シールド部９８と連結部８６及び案内面７４とがＺ方向に重ならないように配置された構成に比べて、ハウジング３０のＸ方向の長さが長くなることが抑制されるので、ソケットコネクタ１０のＸ方向の大型化を抑制することができる。
【００７７】
図１３に示すように、ソケットコネクタ１０では、プラグコネクタ１２が被挿抜部３８（図１参照）に挿入（接続）される場合に、突出部２４が接触部９５と接触されることで、弾性部９４が弾性変形される。これにより、突出部２４が接触部９５を乗り越えた後で、−Ｚ側に移動され、接触部９５（押付部９２）と端子面２８Ａとが接触される。なお、端子面２８ＡのＺ側に補助突出部２９が突出されていることで、プラグコネクタ１２の過度の挿入は規制されている。
【００７８】
ここで、プラグコネクタ１２に対して引抜き方向の外力が作用された場合には、接触部９５（押付部９２）と突出部２４とが接触することで、プラグコネクタ１２のＺ側への移動が一時的に規制される。この規制は、プラグコネクタ１２に作用する外力が、予め設定された外力を超えるまで作用する。つまり、接触部９５と突出部２４とが接触することで、プラグコネクタ１２の移動が一時的に規制されるので、ソケットコネクタ１０に接続されたプラグコネクタ１２の不所望の抜けを抑制することができる。
【００７９】
プラグコネクタ１２がソケットコネクタ１０に接続（挿入）された場合について説明する。この場合には、図１４に示すように、押付部９２に作用する力Ｆ（外力）によって、中間部８４が矢印Ｙ１で示すＹ方向外側へ変位されるようになる。そして、中間部８４と繋がっている補助シールド部９８も、矢印Ｙ２で示すＹ方向の外側へ変位されることになる。なお、図１４では、−Ｙ側に作用する力Ｆのみを示しており、Ｙ側に作用する力Ｆは図示を省略している。
【００８０】
ここで、図１１に示すように、補助シールド部９８がＹ方向の両外側へ変位される場合に、対向面５４が補助シールド部９８の側面９９と接触されることで、規制部５０が補助シールド部９８のＹ方向の変位を規制する。これにより、規制部５０が無い構成に比べて、補助シールド部９８がハウジング３０から離れるのを抑制することができる。
【００８１】
また、ソケットコネクタ１０では、ハウジング３０に対向面５４を形成するだけで、補助シールド部９８の変位を規制可能となる。このため、規制部５０がハウジング３０とは異なる他の部材としてハウジング３０に設けられる構成に比べて、部材点数の増加を抑制することができる。
【００８２】
さらに、ソケットコネクタ１０では、補助シールド部９８が、中間部８４に対してＸ−Ｙ面内に変位（回転）される状態となった場合に、縦壁５２（図５参照）と補助シールド部９８とが接触される。これにより、補助シールド部９８のＺ方向を軸方向とする回転移動（Ｘ方向における補助シールド部９８の移動）を規制することができる。加えて、Ｘ方向から見た場合に、縦壁５２によって補助シールド部９８が覆われていることで、補助シールド部９８がハウジング３０の外側へ露出されなくなる。これにより、他の部材又は作業者の手と、補助シールド部９８との接触が規制されるので、補助シールド部９８の変形を抑制することができる。
【００８３】
また、図１４に示すソケットコネクタ１０では、押付部９２から補助シールド部９８に向かう力Ｆに対する中間部８４（シールド部材８０）の剛性が、押付部９２と補助シールド部９８との間に設けられた取付部９６によって高められている。これにより、プラグコネクタ１２（図２参照）がソケットコネクタ１０に接続された場合に、取付部９６が押付部９２と補助シールド部９８との間に無い構成に比べて、押付部９２の変位に伴う補助シールド部９８の変位を抑制することができる。
【００８４】
なお、本発明は、上記の実施形態に限定されない。
【００８５】
ソケットコネクタ１０において、補助シールド部９８は、Ｚ方向に投影した場合に少なくとも一部が連結部８６及び案内面７４と重なっていなくてもよい。また、ソケットコネクタ１０において、規制部５０が設けられていなくてもよい。規制部５０は、ハウジング３０に形成された対向面５４に限らず、ハウジング３０に設けられた他の部材で構成されていてもよい。対向面５４は、平面に限らず、曲面であってもよい。また、対向面５４は、縦壁５２側に設けられていてもよい。規制部５０は、縦壁５２を有していなくてもよい。
【００８６】
プラグコネクタ１２は、突出部２４を有していなくてもよい。シールド部材８０は、押付部９２が設けられていなくてもよい。シールド部材８０とは異なる部材を用いて、プラグコネクタ１２を押付けてもよい。取付部９６は、押付部９２と補助シールド部９８との間に設けられていなくてもよい。例えば、取付部９６がシールド部８２に設けられていてもよい。
【００８７】
シールド部８２、中間部８４、連結部８６、脚部８８、押付部９２、取付部９６、補助シールド部９８の数は、それぞれ、上記の実施形態とは異なる数であってもよい。取付部９６のハウジング３０への取付方法は、拡幅部９６Ａの圧入に限らず、接着剤を用いる方法、ネジ等の締結部材を用いる方法、あるいは、ハウジング３０とシールド部材８０とを一体で成型するインサート成型方法であってもよい。
【符号の説明】
【００８８】
１０  ソケットコネクタ（コネクタの一例）
１２  プラグコネクタ（接続対象物の一例）
１８  プラグハウジング（本体部の一例）
２４  突出部
２８Ａ  端子面
３０  ハウジング
３８  被挿抜部
３９  挿抜口
４６  張出部（被取付部の一例）
５０  規制部（規制手段の一例）
５２  縦壁（側壁部の一例）
５４  対向面（接触面の一例）
７１  周辺部
７４  案内面
８０  シールド部材
８２  シールド部
８６  連結部
９２  押付部
９６  取付部
９８  補助シールド部
【図１】
2019186168.tif 000003
【図２】
2019186168.tif 000004
【図３】
2019186168.tif 000005
【図４】
2019186168.tif 000006
【図５】
2019186168.tif 000007
【図６】
2019186168.tif 000008
【図７】
2019186168.tif 000009
【図８】
2019186168.tif 000010
【図９】
2019186168.tif 000011
【図１０】
2019186168.tif 000012
【図１１】
2019186168.tif 000013
【図１２】
2019186168.tif 000014
【図１３】
2019186168.tif 000015
【図１４】
2019186168.tif 000016